(57)【要約】【課題】  部品点数や組付工数を増加させることなく光装飾効果を高めることができる音響電飾装置を備えた遊技機を提供する。【解決手段】  前側に音響電飾装置８０が配置された遊技機であって、音響電飾装置８０は、スピーカ９７と、光源１１１と、を備えている。【選択図】        図５
2005270179.tif 000002
【特許請求の範囲】
【請求項１】
前側に音響電飾装置が配置された遊技機であって、
前記音響電飾装置は、スピーカと、光源と、を備えていることを特徴とする遊技機。
【発明の詳細な説明】
【技術分野】
【０００１】
この発明は、遊技機に関し、球（パチンコ球）を用いて遊技を行う遊技機（例えば、パチンコ機）やメダルを用いて遊技を行う遊技機（例えば、スロットマシン）に関する。
【背景技術】
【０００２】
この種の遊技機において、音による演出効果や光による装飾効果（あるいは演出効果）を図るために、遊技機の前側にスピーカと、光源と、を備えた音響電飾装置が配置されたものがある。
また、このような音響電飾装置において、ガラス扉（ガラス枠）の前側に装着されるベース盤上に、光源（ランプ）が配置されるランプ基板がビスによって装着され、そのランプ基板の左右両側方に隣接してスピーカがビスによって装着される。さらに、ベース盤の前側に、ランプ基板を覆うランプカバーが装着され、そのランプカバーの左右に隣接してスピーカを覆うスピーカカバーが装着されたものが知られている（例えば、特許文献１参照）。
【特許文献１】特開平８ー６６５３５号公報
【発明の開示】
【発明が解決しようとする課題】
【０００３】
ところで、前記した構造の音響電飾装置において、ランプ基板に配置された光源（ランプ）の光が直接的にランプカバーを透して出射される構造上、光源の光を有効に活用しずらい。
そこで、光源に対しリフレクタを配置し、その光源の光をリフレクタによって所定方向に反射させ、その反射光によって光装飾効果を高めることが考えられる。
しかしながら、光源に対しリフレクタを配置する構造にすると、リフレクタを個別に製作して組み付ける分だけ部品点数や組付工数が増加し、コスト高となる、という問題点があった。
【０００４】
この発明の目的は、前記問題点に鑑み、部品点数や組付工数を増加させることなく光装飾効果を高めることができる音響電飾装置を備えた遊技機を提供することである。
【課題を解決するための手段】
【０００５】
前記目的を達成するために、請求項１の発明に係る遊技機は、
「音響電飾装置が前側に配置された遊技機であって、
前記音響電飾装置は、スピーカが収納状態で装着されるスピーカ収納体と、光源が配置されるランプ基板とを備え、
前記スピーカ収納体は合成樹脂材によって形成されるとともに、同スピーカ収納体には、前記光源に対応するリフレクタ体が一体に形成され、
前記リフレクタ体は、表面に金属薄膜層が施された反射面を有していることを特徴とする遊技機。」を要旨とするものである。
【０００６】
前記構成において、合成樹脂材によって形成されるスピーカ収納体と一体にリフレクタ体が形成されるため、部品点数や組付工数が増加されることがない。
また、リフレクタ体の金属薄膜層が施された反射面によって光源の光を所定方向に反射させ、その反射光によって光装飾効果を高めることができる。
【０００７】
請求項２の発明に係る遊技機は、
「請求項１に記載の遊技機であって、
スピーカ収納体の後側には背面カバー体が装着され、
前記背面カバー体には、ランプ基板の後面に向けて突出する仕切壁が形成され、
スピーカの後側には、前記背面カバー体、前記仕切壁、前記ランプ基板及びスピーカ収納体の周壁によって囲まれた状態で音響空間が構成されていることを特徴とする遊技機。」を要旨とするものである。
したがって、スピーカの後側において、同スピーカに対応する容積をもつ音響空間を容易に形成することができ、音響効果を高めることができる。
【０００８】
請求項３の発明に係る遊技機は、
「請求項１に記載の遊技機であって、
スピーカ収納体には、後方からスピーカが嵌込まれるスピーカ装着孔が形成されるとともに、そのスピーカ装着孔の前開口部近傍には、前記スピーカの前側に当接する支持縁が形成され、
前記スピーカ収納体の後側には背面カバー体が装着され、
前記背面カバー体には、前記スピーカの後周縁部を前側に向けて押し付けて同スピーカの前側を前記スピーカ装着孔の支持縁に当接状態に保持する押え体が一体に形成されていることを特徴する遊技機。」を要旨とするものである。
したがって、スピーカ収納体のスピーカ装着孔の後方からスピーカが嵌込まれた後、スピーカ収納体の後側に背面カバー体が装着されることによって、スピーカ装着孔の支持縁と、背面カバー体の押え体との協働によってスピーカを容易に固定することができる。このため、スピーカを固定するためのビスが不要となり、スピーカ収納体に対するスピーカの着脱作業を容易化することができる。
【０００９】
請求項４の発明に係る遊技機は、
「請求項１〜３のいずれか一項に記載の遊技機であって、
リフレクタ体の反射面は椀形状に凹まされた椀形状反射面によって構成されていることを特徴する遊技機。」を要旨とするものである。
したがって、光源の光を椀形状反射面によって反射させることによって、反射光の方向を所望とする方向に指向させることができ光装飾効果を高めることができる。
【００１０】
請求項５の発明に係る遊技機は、
「請求項４に記載の遊技機であって、
リフレクタ体の椀形状反射面は、周方向及び半径方向に略蜘蛛の巣形状の境界線をもって連続する多数の略平坦状の分割反射面によって構成されていることを特徴する遊技機。」を要旨とするものである。
したがって、光源の光が略蜘蛛の巣形状の境界線をもって分割された多数の略平坦状の分割反射面からそれぞれ多方向に反射される。これによって、多数の分割反射面毎にモザイク状の発光態様をなして反射する光によって従来にない斬新な光装飾効果が得られる。
【００１１】
請求項６の発明に係る遊技機は、
「請求項４又は５に記載の遊技機であって、
リフレクタ体の後側に光源を有するランプ基板が配置され、
前記リフレクタ体の椀形状反射面の中心部には、前記光源が発する光を前記椀形状反射面に向けて反射させる光反射体が配置されていることを特徴とする遊技機。」を要旨とするものである。
したがって、リフレクタ体の後側のスペースを有効利用して光源を有するランプ基板を合理的に配置することができるため、ランプ基板の配置スペースの確保が容易となり設計の自由度が増大する。
【００１２】
請求項７の発明に係る遊技機は、
「請求項６に記載の遊技機であって、
光反射体は、光源が発する光を椀形状反射面に向けて内反射させる傾斜状の内反射面を有する透明なプリズム体を有していることを特徴とする遊技機。」を要旨とするものである。
したがって、光源が発する光は、光反射体の透明なプリズム体の後端面から入射した後、一部の光は傾斜状の内反射面を透して前方に出射され、多くの光はプリズム体の傾斜状の内反射面において内反射し、そのプリズム体の側面から椀形状反射面に向けて出射する。
前記したようにして、光源が発する光を、透明なプリズム体の内反射面の前側に出射する光と、透明なプリズム体の内反射面において内反射させて、同プリズム体の側面から出射する光に分散させ、さらに、プリズム体の側面から出射する光を椀形状反射面において反射させて光装飾することができる。このため、光源が発する光を有効に活用して光装飾効果を高めることができる。
【発明の効果】
【００１３】
この発明によれば、合成樹脂材によって形成されるスピーカ収納体と一体にリフレクタ体を形成することで、リフレクタを個別に製作して組み付ける手間を省くことができ、部品点数や組付工数を増加させることなく光装飾効果を高めることができる。
【発明を実施するための最良の形態】
【００１４】
次に、この発明を実施するための最良の形態を実施例にしたがって説明する。
【実施例１】
【００１５】
図１は遊技機の外枠の一側に本体枠が開かれその本体枠の一側にガラス扉が開かれた状態を示す斜視図である。図２は遊技機の前側全体を示す正面図である。図３は遊技機を斜め右上前方から示す斜視図である。図４はガラス扉を斜め左上後方から示す斜視図である。図５はガラス扉と音響電飾装置とを分離して斜め左上前方から示す斜視図である。図６は音響電飾装置の構成部材を分離して示す斜視図である。図７はスピーカ、ランプ基板、背面カバー体等が組み付けられたスピーカ収納体と前カバー体とが分離された状態を示す斜視図である。図８はスピーカ収納体、スピーカ、スピーカカバー、ランプ基板、光反射体が分離された状態を示す斜視図である。図９は音響電飾装置の平断面図である。図１０はスピーカ収納体にスピーカが装着された状態を拡大して示す平断面図である。図１１はランプ基板の光源、光反射体、リフレクタ体の関係を拡大して示す平断面である。図１２はリフレクタ体の中央部を拡大して示す正面図である。図１３は背面カバー体のスピーカ用押え体の他の実施態様を示す平断面図である。図１４は背面カバー体のスピーカ用押え体を示す正面図である。なお、説明の便宜上、遊技機において遊技者側を前、反対側を後として説明する。
【００１６】
［遊技機の概要について］
図１〜図３に示すように、遊技機としてのパチンコ機は、外枠１０、本体枠２０、遊技盤３１、ガラス扉６０等を備えて構成されている。
外枠１０は、上下左右の枠材によって縦長四角形の枠状に形成され、同外枠１０の前側下部には、本体枠２０の下面を受ける下受板１５を有している。
外枠１０の前面の一側には、本体枠開閉用ヒンジ機構１９によって本体枠２０が前方に開閉可能に装着されている。
【００１７】
また、本体枠２０は、前枠体２１、遊技盤装着枠３０及び機構装着体４０を合成樹脂材によって一体成形することで構成されている。
本体枠２０の前側に形成された前枠体２１は、外枠１０前側の下受板１５を除く外郭形状に対応する大きさの矩形枠状に形成されている。
【００１８】
［遊技盤について］
図１に示すように、本体枠２０の前枠体２１の後部に一体に形成された遊技盤装着枠３０には遊技盤３１が前方から着脱交換可能に装着されるようになっている。
遊技盤３１の盤面（前面）には、外レールと内レールとを備えた案内レール３２が設けられ、その案内レール３２の内側に遊技領域３３が区画形成されている。
遊技盤３１には、その遊技領域３３内において、遊技に関する役物装置、例えば、センタ役物と呼ばれる役物装置３４が装着され、その役物本体３５には、その中央部に形成された開口部に表示面を臨ませて図柄表示装置（例えば、液晶表示器、ＥＬ表示器，プラズマ表示器，ＣＲＴ等）７２が装着されている。また、遊技盤３１の盤面（前面）の遊技領域３３内には図示しない入賞器、風車器、誘導釘、ランプ装飾部材等の各種の装備品が配設されている。
【００１９】
図１に示すように、本体枠２０の前枠体２１の前側において、遊技盤装着枠３０よりも下方に位置する前枠体２１の前下部領域の一側寄りには、スピーカ装着板２６を介してスピーカ（この実施例１では低音用スピーカ）２７が装着されている。
また、前枠体２１前面の下部領域内の上側部分には、遊技盤３１の発射通路に向けて球を導く発射レール２２が傾斜状に装着されている。
また、前枠体２１前面の下部領域内の下側部分には、下前面部材２３が装着されている。下前面部材２３の前面の略中央部には、下皿２４が設けられ、片側寄りには操作ハンドル２５が設けられている。
【００２０】
［施錠装置について］
本体枠（前枠体２１）２０のヒンジ機構と反対側に自由端側の後側には、外枠１０に対し本体枠２０を施錠する機能と、本体枠２０に対し後に詳述するガラス扉６０を施錠する機能とを兼ね備えた施錠装置５１が装着されている。
すなわち、施錠装置５１は、外枠１０に設けられた閉止具１７に係脱可能に係合して本体枠２０を閉じ状態に施錠する上下複数の本体枠施錠フック５２と、後述するガラス扉６０の自由端側の後側に設けられた閉止具６６に係脱可能に係合してガラス扉６０を閉じ状態に施錠する上下複数の扉施錠フック５３とを備えている。
そして、シリンダー錠５５の鍵穴に鍵が挿入されて一方向に回動操作されることで本体枠施錠フック５２と外枠１０の閉止具１７との係合が外れて本体枠２０が解錠され、これとは逆方向に回動操作されることで、扉施錠フック５３とガラス扉６０の閉止具６６との係合が外れてガラス扉６０が解錠されるようになっている。
なお、シリンダー錠５５の前端部は、遊技機の前方から鍵を挿入して解錠操作可能に、前枠体２１及び下前面部材２３を貫通してその下前面部材２３の前面に露出されている。
【００２１】
［ガラス扉について］
図１に示すように、本体枠（前枠体２１）２０の前面の一側には、扉開閉用ヒンジ機構５０によってガラス扉６０が前方に開閉可能に装着されている。
図４と図５に示すように、ガラス扉６０は、扉本体フレーム６１、サイド装飾装置７０、上皿７８、音響電飾装置８０を備えて構成されている。
扉本体フレーム６１は、プレス加工された単数または複数の金属製フレーム構成部材によって形成され、本体枠２０の前枠体２１の上端から下前面部材２３の上縁にわたる部分を覆う大きさに形成されている。
扉本体フレーム６１の略中央部には、遊技盤３１の遊技領域３３を前方から透視可能な略円形の開口窓６２が形成されている。また、扉本体フレーム６１の後側には開口窓６２よりも大きい矩形枠状をなす窓枠６３が設けられ、その窓枠６３にはガラス板、透明樹脂板等の透明板６５が装着されている（図１参照）。
【００２２】
［ガラス扉の前側構成について］
図２と図３に示すように、扉本体フレーム６１の前側には、その開口窓６２の周囲において、左右両側部にサイド装飾装置７０が、下部に上皿７８が、上部に音響電飾装置８０が装着されている。
また、サイド装飾装置７０は、ランプ基板が内部に配置されかつ合成樹脂材により形成されたサイド装飾体７１を主体として構成されている。このサイド装飾体７１には横方向に長いスリット状の開口孔が上下方向に複数配列されており、その開口孔には、ランプ基板に配置された光源に対応するレンズ７３が組み込まれている。
【００２３】
［音響電飾装置について］
図５に示すように、トップランプユニットとしての音響電飾装置８０は、１つにユニット化されて扉本体フレーム６１の前側上部にビス７９によって装着されている。
図６に示すように、音響電飾装置８０は、装置本体としてのスピーカ収納体９０、スピーカ９７、リフレクタ体１００、ランプ基板１１０、背面カバー体１５０、前カバー体１７０等を備え、これか各部材が相互に組み付けられてユニット化されている。
【００２４】
この実施例１において、図６に示すように、スピーカ収納体９０は左右一対をなし、これら一対のスピーカ収納体９０は合成樹脂材によって形成されると共に、一対のスピーカ収納体９０の間にリフレクタ体１００が一体に形成されている。
図９と図１０に示すように、一対のスピーカ収納体９０には、前後方向に延びる筒状に形成され、そのスピーカ収納体９０の筒内には後方からスピーカカバー９５及びスピーカ（この実施例１では中高音用スピーカ）９７が順に嵌込まれるスピーカ装着孔９３が形成されている。
また、スピーカ装着孔９３の前開口部近傍には、スピーカカバー９５のカバー周縁部９６に当接する支持縁９４が形成されている。なお、スピーカカバー９５を廃止したり、あるいは、スピーカカバー９５をスピーカ収納体９０の前側から装着する構成にした場合には、スピーカ９７の前側の周縁フランジ９９をスピーカ装着孔９３の支持縁９４に当接させるようにすればよい。
【００２５】
図６〜図８に示すように、一対のスピーカ収納体９０の間に一体に形成されたリフレクタ体１００には、椀形状に凹まされ複数の椀形状反射面１０１が横方向に一部重なり合うようにして配列されて形成されている。また、複数の椀形状反射面１０１を含むリフレクタ体１００の表面には、真空蒸着加工、スパッタリング加工等によって金属薄膜層が施されている。
また、図８〜図１０に示すように、複数の椀形状反射面１０１は、周方向及び半径方向に略蜘蛛の巣形状の境界線をもって連続する多数の略平坦状の分割反射面１０３によって構成されている。
また、この実施例１において、図１１と図１２に示すように、椀形状反射面１０１の半径方向及び周方向においては、傾斜面をなす分割反射面１０３ａの部分と垂直面をなす分割反射面１０３ｂの部分とが交互に形成されている。
【００２６】
図８と図１１に示すように、複数の椀形状反射面１０１の各中心部には中心孔１０２が貫設され、リフレクタ体１００の後側には、各中心孔１０２にそれぞれ対応する位置に、単数、又は複数のランプ、ＬＥＤ等よりなる光源１１１が配設されたランプ基板１１０が装着されている。
また、複数の椀形状反射面１０１の各中心孔１０２には、各光源１１１が発する光を椀形状反射面１０１に向けて反射させる光反射体１２０が配置されている。
【００２７】
この実施例１において、各中心孔１０２に対応する光源１１１は、複数（図８では４つ）のＬＥＤにより構成されている。さらに、複数のＬＥＤは同一円周上に配置されるとともに、これら複数のＬＥＤは、青色のＬＥＤと、赤色のＬＥＤとが周方向に交互に配設されている。
また、図８と図１１に示すように、光反射体１２０は、透明な合成樹脂材によって形成され、前部に光反射部１２１を有し、後部にランプ基板１１０の複数のＬＥＤの周縁部を取り囲んで覆う大径の筒部１２３が段差部をもって一体に形成されている。
【００２８】
すなわち、図１１に示すように、光反射体１２０の光反射部１２１は、椀形状反射面１０１の中心孔１０２の後側開口部から嵌挿されてかつ段差部が中心孔１０２の後側周縁部に当接した状態で所定量だけ前方に突出する円柱状（又は三角柱、四角柱、多角柱等の角柱状）に形成されるとともに、その突出端面の周縁部から後端面近傍に向けて略円錐状（又は角錐状）に凹まされて凹部１２１ａが形成されている。これによって、光反射部１２１は、その凹部１２１ａの周囲において傾斜状の内反射面を有して断面略三角形状をなすプリズム体を構成している。以下、光反射部１２１をプリズム体１２１ともいう。
また、光反射体１２０の段差部が中心孔１０２の後側周縁部に当接した状態において、同光反射体１２０の筒部１２３の端面はランプ基板１１０の前面に近接又は当接されることによって、ランプ基板１１０とリフレクタ体１００との間に光反射体１２０が保持されるようになっている。
【００２９】
また、この実施例１において、図８〜図１０に示すように、左右一対のスピーカ収納体９０の両サイド部には、サイドリフレクタ体１３０がスピーカ収納体９０と一体に形成されている。これら両サイドリフレクタ体１３０は、前述した中央部のリフレクタ体１００と略同様にして、多数の分割反射面１３３によって構成される椀形状反射面１３１が上下に配列され、その椀形状反射面１３１の中心孔には光反射体１４５が配置され、後側には光源１４１としてのＬＥＤが配設された左右の両ランプ基板１４０が装着されている。
すなわち、この実施例１では、一対のスピーカ収納体９０と中央のリフレクタ体１００及び左右の両サイドリフレクタ体１３０によって、ガラス扉６の略全幅にわたる横長の装置本体８１が形成されている。
【００３０】
また、この実施例１において、左右の両ランプ基板１４０のうち、図８に向かって右側のランプ基板１４０ａは中継基板を兼用している。
すなわち、右側の中継基板兼用のランプ基板１４０ａには、遊技盤３１の後側に配置された制御基板（図示しない）に一端が接続された電源線の端末コネクタが接続されている。そして、中継基板兼用のランプ基板１４０ａと中央部のランプ基板１１０とが接続線によって電気的に接続され、中央部のランプ基板１１０と左側のランプ基板１４０ｂとが接続線によって電気的に接続される。
また、右側の中継基板兼用のランプ基板１４０ａと右側のスピーカ９７、左側のランプ基板１４０ｂと左側のスピーカ９７が接続線によって電気的に接続されるようになっている。
【００３１】
図６と図９に示すように、スピーカ収納体９０を含む装置本体８１の周壁部の後側開口部には、同開口部を塞ぐようにして背面カバー体１５０が装着されている。
図６と図１０に示すように、背面カバー体１５０の内壁面には、左右一対のスピーカ９７の後端部が嵌込まれる嵌込部１５５が環状に突設されている。
また、両嵌込部１５５の突出端には、スピーカ９７の周縁フランジ９９の後側を前方に向けて押し付けて同スピーカ９７の周縁フランジ９９を介してスピーカカバー９５のカバー周縁部９６をスピーカ装着孔９３の支持縁９４に当接状態に保持する複数の押え体１５６が一体に形成されている。
すなわち、装置本体８１の左右の一対のスピーカ収納体９０のスピーカ装着孔９３の後方からスピーカカバー９５とスピーカ９７とが順次に嵌込まれた後、装置本体８１の後側に背面カバー体１５０がビス等によって装着されることによって、スピーカ装着孔９３の支持縁９４と、背面カバー体１５０の押え体１５６との協働によってスピーカ９７及びスピーカカバー９５が固定されるようになっている。
【００３２】
また、図６と図１０に示すように、背面カバー体１５０には、ランプ基板１１０の後面に向けて突出する２つの仕切壁１５８が形成され、左右一対のスピーカ９７の後側には、背面カバー体１５０、仕切壁１５８、ランプ基板１１０及び装置本体８１の周壁部８２によって囲まれた状態でかつスピーカ９７に対応する容積をもつ音響空間１６０が閉鎖状態で構成されている。
【００３３】
また、この実施例１において、図５と図６に示すように、装置本体８１の前側には、一対のスピーカ収納体９０の前側部分を除く略全体、すなわち、中央部のリフレクタ体１００と左右の両サイドリフレクタ体１３０を被うようにして透明（無色透明）な合成樹脂材より形成された前カバー体１７０が装着されている。そして、前カバー体１７０によって、中央部のリフレクタ体１００と左右の両サイドリフレクタ体１３０が保護されるとともに外観意匠が高められている。なお、前カバー体１７０は必ずしも必要ではなく、前カバー体１７０を廃止した構成にすることも可能である。
【００３４】
［実施例１に係る遊技機の作用効果について］
上述したように構成されるこの実施例１に係る遊技機において、合成樹脂材によって形成されるスピーカ収納体９０と一体にリフレクタ体１００が形成されるため、専用のリフレクタ体を製作して組み付ける手間を省くことができ、部品点数や組付工数を低減してコスト低減を図ることができる。
【００３５】
図６と図１０に示すように、スピーカ収納体９０には、後方からスピーカ９７が嵌込まれるスピーカ装着孔９３が形成されるとともに、そのスピーカ装着孔９３の前開口部近傍には、スピーカ９７の前側の周縁フランジ９９に当接する支持縁９４が形成される一方、スピーカ収納体９０を含む装置本体８１の後側に装着される背面カバー体１５０には、スピーカ９７の周縁フランジ９９を前側に向けて押し付けて同周縁フランジ９９を介してスピーカカバー９５のカバー周縁部９６をスピーカ装着孔９３の支持縁９４に当接状態に保持する押え体１５６が一体に形成されている。
これによって、スピーカ収納体９０のスピーカ装着孔９３の後方からスピーカカバー９５及びスピーカ９７が順に嵌込まれた後、装置本体８１の後側に背面カバー体１５０がビス等によって装着されると同時に、スピーカ装着孔９３の支持縁９４と、背面カバー体１５０の押え体１５６との協働によってスピーカ９７の周縁フランジ９９及びスピーカカバー９５のカバー周縁部９６を狭持してスピーカ９７を固定することができる。
このようにして、スピーカ収納体９０にスピーカ９７及びスピーカカバー９５をビスを用いることなく固定することができるため、スピーカ収納体９０に対するスピーカ９７及びスピーカカバー９５の着脱作業を容易化することができる。
【００３６】
また、この実施例１において、図６と図１０に示すように、背面カバー体１５０には、ランプ基板１１０の後面に向けて突出する仕切壁１５８が形成され、スピーカ９７の後側には、背面カバー体１５０、仕切壁１５８、ランプ基板１１０及びスピーカ収納体９０を有する装置本体８１の周壁部８２によって囲まれた状態で音響空間１６０を略閉鎖状態で構成することができる。
【００３７】
特に、スピーカ９７の後方からランプ基板１１０の配置領域（この実施例１ではランプ基板１１０の後側領域）にわたる広い範囲にわたって音響空間１６０を構成することができる。このため、スピーカ９７に対応する容積をもつ音響空間１６０を容易に形成することができ、音響効果を高めることができる。
しかも、一対のスピーカ９７に対応する左右の音響空間１６０が２つの仕切壁１５８によって区画されている。このため、一対のスピーカ９７の作動時において、左右の両音響空間１６０の音が相互に干渉して音響効果を低下させる不具合も防止することができる。言い換えると、左右の音響空間１６０が連通されている場合には、一対のスピーカ９７の音が相互に干渉し、音響効果を悪化させる不具合が発生することがあるが、この実施例１ではこのような不具合を防止することができる。
【００３８】
また、この実施例において、図８と図１１に示すように、リフレクタ体１００の後側に光源１１１を有するランプ基板１１０が配置され、リフレクタ体１００の椀形状反射面１０１の中心部には、光源１１１が発する光を椀形状反射面１０１に向けて反射させる光反射体１２０が配置されている。このため、リフレクタ体１００の後側に配置されたランプ基板１１０の光源１１１の光が光反射体１２０によって反射された後、椀形状反射面１０１によって反射される。
【００３９】
特に、この実施例１において、光反射体１２０の光反射部は、円錐形の凹部１２１ａによって、傾斜状の内反射面を有して断面略三角形状をなすプリズム体１２１を構成し、当該プリズム体１２１の内反射面を光源１１１から出射された光の内反射面に対する入射角が所定の範囲内になる角度に形成している。
そして、光源１１１が発する光をプリズム体１２１の後端面から入射させ、その一部の光をプリズム体１２１の前側から出射させる。また、プリズム体１２１の後端面から入射した多くの光をプリズム体１２１の傾斜状の内反射面において内反射させ、その側面から椀形状反射面１０１に向けて出射させる。このようにして、プリズム体１２１の傾斜状の内反射面を角度を適宜に設定して光源１１１が発する光を、プリズム体１２１の内反射面の前側に出射する光と、プリズム体１２１の内反射面において内反射させて、同プリズム体１２１の側面から出射する光に分散させる。さらに、プリズム体１２１の側面から出射する光を椀形状反射面１０１において反射させて光装飾する。
前記したようにして、光源１１１が発する光を有効に活用して光装飾効果を高めることができる。
【００４０】
また、この実施例１において、椀形状反射面１０１は、多数の分割反射面１０３によって構成されると共に、図１１と図１２に示すように、これら多数の分割反射面１０３において、傾斜面をなす分割反射面１０３ａと垂直面をなす分割反射面１０３ｂとが半径方向及び周方向に交互に配置されて形成されている。
このため、プリズム体１２１で内反射し、その側面から椀形状反射面１０１に向けて出射する光は傾斜面をなす分割反射面１０３ａにおいて反射される。そして、傾斜面をなす分割反射面１０３ａから反射された光によって斬新で鮮やかな光装飾効果が得られる。
すなわち、従来のように光源の光を前面レンズから拡散状に出射させる構造においては、光が前面レンズ全体にぼやけるため、光装飾効果を高めることが困難であるが、前記したように略蜘蛛の巣状に分割された多数の分割反射面１０３、特に、半径方向及び周方向に交互に配置された傾斜面をなす分割反射面１０３ａから反射された光が各分割反射面１０３ａ毎にキラキラ光るモザイク状の発光態様を装い従来にはない斬新な光装飾効果が得られる。
【００４１】
また、この実施例１において、複数の椀形状反射面１０１の各中心孔１０２に対応する光源１１１は、同一円周上に配置され複数（図８では４つ）のＬＥＤにより構成されているとともに、青色のＬＥＤと赤色のＬＥＤとが交互に配置されている。
そして、遊技状況に応じて青色のＬＥＤを点灯・点滅したり、あるいは赤色のＬＥＤを点灯・点滅することによって、光装飾性や遊技の興趣を高めることができる。
また、複数のＬＥＤを周方向に順次に点滅させることによって、あたかも光が回転しているかのようにして光装飾することも可能である。
【実施例２】
【００４２】
次に、この発明の実施例２を図１３と図１４にしたがって説明する。
この実施例２においては、背面カバー体１５０の嵌込部１５５の底部をなす壁部に、スピーカ９７の後端面を前方に向けて付勢する複数の弾性押え体１５７が、嵌込部１５５の中心部から放射状をなして形成されている。すなわち、嵌込部１５５の底部をなす壁部に複数の略Ｕ字状の切込み部１５７ａが放射状に形成されることで、弾性変形可能な複数の弾性押え体１５７が形成される。これら複数の弾性押え体１５７の自由端部の前側には、スピーカ９７の後端面に圧接する突起１５７ｂが突設されている。
その他の構成は実施例１と同様にして構成される。
【００４３】
したがって、この実施例２においては、スピーカ収納体９０のスピーカ装着孔９３の後方からスピーカ９７が嵌込まれた後、スピーカ収納体（装置本体８１）９０の後側に背面カバー体１５０がビス等によって装着されると同時に、スピーカ装着孔９３の支持縁９４と、背面カバー体１５０の弾性押え体１５７との協働によってスピーカ９７を固定することができる。
このため、この実施例２においてもスピーカ収納体９０に対しスピーカ９７をビスを用いることなく容易に固定することができるため、スピーカ収納体９０に対するスピーカ９７の着脱作業を容易化することができる。
【００４４】
［この発明の他の実施例について］
なお、この発明は実施例１及び２に限定するものではない。
例えば、実施例１においては、前枠体２１、遊技盤装着枠３０及び機構装着体４０が合成樹脂材によって一体成形されることで本体枠２０が構成される場合を例示したが、遊技盤が着脱可能に装着される遊技盤装着枠が一体に形成されたりあるいは別体の遊技盤装着枠が組み付けられる前枠体が本体枠である場合においてもこの発明を実施することができる。
また、前枠体は合成樹脂材以外の木質製であってもよい。
また、前記実施例においては、ガラス扉６０の前側上部に音響電飾装置８０が装着される遊技機である場合を例示したが、本体枠の前側に音響電飾装置８０が装着される遊技機であってもこの発明を実施することができる。
また、スロットマシン等の前面扉に音響電飾装置８０が装着される遊技機であってもこの発明を実施することができる。
【図面の簡単な説明】
【００４５】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機を斜め右上前方から示す斜視図である。
【図４】同じくガラス扉を斜め左上後方から示す斜視図である。
【図５】同じくガラス扉と音響電飾装置とを分離して斜め左上前方から示す斜視図である。
【図６】同じく音響電飾装置の構成部材を分離して示す斜視図である。
【図７】同じくスピーカ、ランプ基板、背面カバー体等が組み付けられたスピーカ収納体と前カバー体とが分離された状態を示す斜視図である。
【図８】同じくスピーカ収納体のリフレクタ体、ランプ基板、光反射体が分離された状態を示す斜視図である。
【図９】同じく音響電飾装置の平断面図である。
【図１０】同じくスピーカ収納体にスピーカが装着された状態を拡大して示す平断面図である。
【図１１】同じくランプ基板の光源、光反射体、リフレクタ体の関係を拡大して示す平断面である。
【図１２】同じくリフレクタ体の中央部を拡大して示す正面図である。
【図１３】この発明の実施例２の背面カバー体のスピーカ用の弾性押え体を示す平断面図である。
【図１４】同じく背面カバー体のスピーカ用の弾性押え体を示す正面図である。
【符号の説明】
【００４６】
６０  ガラス扉
８０  音響電飾装置
９０  スピーカ収納体
９３  スピーカ装着孔
９４  支持縁
９７  スピーカ
９９  周縁フランジ
１００  リフレクタ体
１０１  椀形状反射面
１０２  中心孔
１０３  分割反射面
１０３ａ  傾斜面の分割反射面
１０３ｂ  垂直面の分割反射面
１１０  ランプ基板
１１１  光源
１１２  ＬＥＤ
１２０  光反射体
１２１  プリズム体
１２１ａ  凹部
【図１】
2005270179.tif 000003
【図２】
2005270179.tif 000004
【図３】
2005270179.tif 000005
【図４】
2005270179.tif 000006
【図５】
2005270179.tif 000007
【図６】
2005270179.tif 000008
【図７】
2005270179.tif 000009
【図８】
2005270179.tif 000010
【図９】
2005270179.tif 000011
【図１０】
2005270179.tif 000012
【図１１】
2005270179.tif 000013
【図１２】
2005270179.tif 000014
【図１３】
2005270179.tif 000015
【図１４】
2005270179.tif 000016